(57)【特許請求の範囲】
【請求項１】
筐体と、
この筐体に収容され、光を出射する光源と、
前記筐体に載置され、前記光源からの光を前記筐体の外側に向けて導光する導光部材と、
前記導光部材を前記筐体との間に挟み込むように、前記筐体に着脱自在に固定され、前記導光部材を介して受けた前記光を外部に照光する照光部材と、を備え、
前記照光部材は、複数の個別照光部材から構成されており、
前記複数の個別照光部材は、各々前記筐体と着脱自在に固定されている、
ことを特徴とする照光構造。
【請求項２】
更に、前記照光部材の縁部に接するように配置され、前記照光部材を前記筐体に固定させる固定部材を備える、
ことを特徴とする請求項１に記載の照光構造。
【請求項３】
更に、前記照光部材を前記筐体に係止させる係止手段を備える、
ことを特徴とする請求項１又は２に記載の照光構造。
【請求項４】
前記照光部材は、ネジにより前記筐体に固定されている、
ことを特徴とする請求項１乃至３のいずれか１項に記載の照光構造。
【請求項５】
更に、前記ネジを前記筐体の外側から覆い隠すように配置されたカバー部材を備える、
ことを特徴とする請求項４に記載の照光構造。
【請求項６】
前記光源は、複数の個別光源から構成されており、
各個別光源は、１つの前記個別照光部材に１又は複数の前記個別光源が対応するような位置に配置されている、
ことを特徴とする請求項１に記載の照光構造。
【請求項７】
筐体と、
この筐体に収容され、光を出射する光源と、
前記筐体に載置され、前記光源からの光を前記筐体の外側に向けて導光する導光部材と、
前記筐体に固定され、前記導光部材を介して受けた前記光を外部に照光する照光部材と、
前記照光部材を前記筐体に固定させる固定部材と、
を備え、
前記照光部材は、１又は複数種類の大きさとなるように形成された複数の個別照光部材から構成されており、前記固定部材を取り外すことにより、任意の前記個別照光部材の組み合わせとなるように前記筐体に着脱可能である、
ことを特徴とする照光構造。
【請求項８】
筐体と、
この筐体に収容され、光を出射する光源と、
前記筐体に載置され、前記光源からの光を前記筐体の外側に向けて導光する導光部材と、
前記導光部材を前記筐体との間に挟み込むように、前記筐体に着脱自在に固定され、前記導光部材を介して受けた前記光を外部に照光する照光部材と、
を備え、
前記筐体は、前記照光部材を係止する係止部を備え、
前記照光部材は、前記係止部に係合される凸部及び凹部を有し該凸部及び凹部が前記係止部に対向しながら離接する複数の係合部を備え、
前記導光部材は、前記照光部材が前記筐体に係止された状態で着脱可能である、
ことを特徴とする照光構造。
【請求項９】
請求項１乃至８のいずれか１項に記載の照光構造を備えたことを特徴とする電子装置。
【発明の詳細な説明】
【技術分野】
【０００１】
本発明は、照光構造及びこれを備えた電子装置に関する。
【背景技術】
【０００２】
例えば携帯電話機等の電子装置には、ユーザに対する利便性及び視覚的効果等を目的として、筐体等に照光構造を設けることが行われている。
【０００３】
このような電子装置は、例えば特許文献１に開示されている。特許文献１には、筐体内に面発光部を固定し、その面発光部の上に、パネル部材（照光部材）を交換自在に設けて外部に照光する携帯端末装置が記載されている。
【特許文献１】特開２００４−８０３９０号公報
【発明の開示】
【発明が解決しようとする課題】
【０００４】
特許文献１に開示された技術では、パネル部材をスライド部材で挟み込んで固定しているため、スライド部材に衝撃が加わった場合に、パネル部材が外れるおそれがあった。
【０００５】
また、特許文献１に開示された携帯端末装置では、筐体を構成する１面のほぼ全面を覆うパネル部材が設けられる。このことによっても、パネル部材の固定部（筐体）に対する嵌合力が不足しやすくなる。それとともに、パネル部材自体の強度が小さくなってしまうという問題点もあった。
【０００６】
さらに、特許文献１に開示された携帯端末装置では、パネル部材が一体であるので、多くのユーザがそれぞれ希望する照光機能を得られるようにするにはパネル部材の種類が非常に多くなってしまう。また、パネルが発光体ごとに区切られていない為、個々に点灯させることが困難であった。
【０００７】
本発明は、上記問題点に鑑みてなされたもので、照光部材の強度及び筐体に対する嵌合力を確保しながら、ユーザが希望する形態に応じて照光部材を容易に交換することが可能な照光構造及びこれを備えた電子装置を提供することを目的とする。
【課題を解決するための手段】
【０００８】
上記目的を達成するため、本発明の照光構造は、
筐体と、
この筐体に収容され、光を出射する光源と、
前記筐体に載置され、前記光源からの光を前記筐体の外側に向けて導光する導光部材と、
前記導光部材を前記筐体との間に挟み込むように、前記筐体に着脱自在に固定され、前記導光部材を介して受けた前記光を外部に照光する照光部材と、を備え、
前記照光部材は、複数の個別照光部材から構成されており、
前記複数の個別照光部材は、各々前記筐体と着脱自在に固定されている、
ことを特徴とする。
【０００９】
更に、前記照光部材の縁部に接するように配置され、前記照光部材を前記筐体に固定させる固定部材を備える、
こととしてもよい。
【００１０】
更に、前記照光部材を前記筐体に係止させる係止手段を備える、
こととしてもよい。
【００１１】
前記照光部材は、ネジにより前記筐体に固定されている、
ように構成することとしてもよい。
【００１２】
更に、前記ネジを前記筐体の外側から覆い隠すように配置されたカバー部材を備える、
こととしてもよい。
【００１４】
前記光源は、複数の個別光源から構成されており、
各個別光源は、１つの前記個別照光部材に１又は複数の前記個別光源が対応するような位置に配置されている、
こととしてもよい。
【００１５】
また、上記目的を達成するため、本発明の別の照光構造は、
筐体と、
この筐体に収容され、光を出射する光源と、
前記筐体に載置され、前記光源からの光を前記筐体の外側に向けて導光する導光部材と、
前記筐体に固定され、前記導光部材を介して受けた前記光を外部に照光する照光部材と、
前記照光部材を前記筐体に固定させる固定部材と、
を備え、
前記照光部材は、１又は複数種類の大きさとなるように形成された複数の個別照光部材から構成されており、前記固定部材を取り外すことにより、任意の前記個別照光部材の組み合わせとなるように前記筐体に着脱可能である、
ことを特徴とする。
【００１６】
また、上記目的を達成するため、本発明の更に別の照光構造は、
筐体と、
この筐体に収容され、光を出射する光源と、
前記筐体に載置され、前記光源からの光を前記筐体の外側に向けて導光する導光部材と、
前記導光部材を前記筐体との間に挟み込むように、前記筐体に着脱自在に固定され、前記導光部材を介して受けた前記光を外部に照光する照光部材と、
を備え、
前記筐体は、前記照光部材を係止する係止部を備え、
前記照光部材は、前記係止部に係合される凸部及び凹部を有し該凸部及び凹部が前記係止部に対向しながら離接する複数の係合部を備え、
前記導光部材は、前記照光部材が前記筐体に係止された状態で着脱可能である、
ことを特徴とする。
【００１７】
また、上記目的を達成するため、本発明の電子装置は、上述した照光構造を備えたことを特徴とする。
【発明の効果】
【００１８】
本発明によれば、照光部材の強度及び筐体に対する嵌合力を確保しながら、ユーザが希望する形態に応じて照光部材を容易に交換することが可能な照光構造及びこれを備えた電子装置を得ることができる。
【発明を実施するための最良の形態】
【００１９】
以下、本発明の実施形態について添付図面を参照して説明する。なお、以下で説明する実施形態は、例えば携帯電話機等の携帯端末の照光構造に関するものである。
【００２０】
図１（ａ）は、本実施形態の携帯端末１０の一例を示す正面図である。携帯端末１０は、２つの筐体がヒンジ部１２で接続された、いわゆる折り畳み式の携帯端末であり、縦方向と、この縦方向と直行する横方向に開閉可能なものである。図１（ａ）には、携帯端末１０が折り畳まれた状態で、２つの筐体のうち一方の筐体１１が表示されている。なお、本明細書において、筐体１１は一体として形成された状態の筐体を示すものであり、例えば筐体本体１１−１，筐体カバー１１−２のような個別の部材の集合体である。
【００２１】
また、筐体１１上には、外部から視認できる位置に照光部材１３が配置されている。図１（ａ）では、照光部材１３は、８個の照光ピース１３ａが並べられて構成されている。８個の照光ピース１３ａは、それぞれ樹脂から形成され、光源からの光を透過して任意の色で外部に照光するような光透過性を有している。８個の照光ピース１３ａは、そのうちの１つの縁部に接するホルダ１４によって筐体１１に固定されている。
【００２２】
また、照光部材１３よりも機内側には、導光板１５と光源であるＬＥＤ（Light Emitting Diode：発光ダイオード）１６とが設けられている。導光板１５は、樹脂から形成され、白濁色で、光透過性を有し、ＬＥＤ１６が直接見えないようにすると共に、各ＬＥＤ１６からの光を拡散する板状部材である。すなわち、導光板１５の表面には、光を他の照光ピース１３の部分を照射せず、ＬＥＤ１６上の照光ピース１３だけを照射するように、光を拡散および導光させるようなパターンの加工が施されている。ＬＥＤ１６は８個のＬＥＤ１６−１〜１６−８（本明細書では図の上から順に１６−１、１６−２、・・・、１６−８）から構成されており、それぞれが８個の照光ピース１３ａに対応する位置に配置されている。
【００２３】
次に、上記のように構成された携帯端末１０の動作について説明する。
【００２４】
８個のＬＥＤ１６は、例えば、電話の着信、メールの受信、任意のスイッチのオン動作、等のイベントが発生したときに点灯又は点滅するように、予め個別に設定されている。
【００２５】
例えば、図１（ａ）において、電話の着信があった場合に、図の上から２番目のＬＥＤ１６（１６−２）が点滅するように設定されたと仮定する。ここで、携帯端末１０が外部から電話を着信すると、上から２番目のＬＥＤ１６（１６−２）が点滅し、外部（図の手前側）に向けて光を出射する。出射された光は、導光板１５によって拡散され、図の上から２番目の照光ピース１３ａを介して外部に照射される。上から２番目の照光ピース１３ａが例えば青色に着色されていたとすると、ユーザは青い点滅光を視認することで、着信音等と併せて電話の着信を確認できる。この場合、光は拡散され、照光ピース１３の側方からも光が照射され視認性を向上させている。
【００２６】
上記以外にも、例えば、携帯端末１０の電源スイッチをオンにして携帯端末１０を起動する際に８個のＬＥＤ１６を連続的に点灯又は点滅させることにより、ユーザにイルミネーションとしての視覚的効果を与えることも可能である。
【００２７】
なお、図１（ａ）に示す例は、８個の照光ピース１３ａから照光部材１３を構成した例であるが、本実施形態の携帯端末１０は、上記以外の照光部材１３の構成をユーザが任意に選択可能に構成されている。
【００２８】
照光部材１３の別の構成例を、図１（ｂ），（ｃ）に示す。なお、図１（ｂ），（ｃ）では、内部の導光板１５及びＬＥＤ１６の表示は省略している。
【００２９】
図１（ｂ）に示す例は、図１（ａ）に示したものと同様の大きさの照光ピース１３ａを２つ使用し、照光ピース１３ａの６個分の大きさを有する照光ピース１３ｂを１つ使用した例である。各照光ピースは、図１（ａ）の例のように着色されていてもよく、図１（ｂ）に示す照光ピース１３ｂのように任意の図柄がプリントされていてもよい。
【００３０】
また、図１（ｃ）に示す例は、照光部材１３として、照光ピース１３ａの８個分の大きさで一体として形成された照光ピース１３ｃを使用した例である。図１（ａ）〜（ｃ）に示した以外にも、照光部材１３についてユーザが任意に選択した構成をとることができる。このように、本実施形態によれば、複数の照光ピースから構成された照光部材を設け、照光部材の交換の際に、照光ピースの大きさを任意に変更して交換することができる。
【００３１】
次に、上述したような携帯端末１０の照光構造の具体例について説明する。
【００３２】
（照光構造の具体例１）
図２，図３に、具体例１の照光構造を示す。筐体１１には、中間部材１７が締結部材１８で２箇所固定されている。中間部材１７は、筐体１１に固定された状態で、開口１９と窪み２０とを８個ずつ有しており、また、図３に示すように、筐体１１の長手方向に沿った溝を有している。
【００３３】
図３に示すように、８個の開口１９内には、それぞれＬＥＤ１６が収容されている。ＬＥＤ１６は、基板２２上に搭載されている。基板２２は、筐体部材１１ａ上に配置されており、筐体部材１１ａと中間部材１７との間に挟み込まれている。なお、筐体部材１１ａ〜１１ｃは、全体として筐体１１を構成している。
【００３４】
本実施形態の携帯端末１０では、上記のように予め構成された部分（以下、具体例の説明において、固定部という）に対してユーザが照光部材１３、ホルダ１４、及び導光板１５（以下、総称して着脱部ともいう）を組立及び分解することが可能である。
【００３５】
以下、本具体例について、着脱部の組立方法を図２，図３を参照して説明する。なお、図２等の分解斜視図の説明において、筐体１１を上（以下、上側という）から見たときに、ヒンジ部１２が設けられている側をヒンジ側といい、その反対側を先端側という。また、筐体１１の長辺の側（特に、ＬＥＤ１６が設けられている側）を側部側という。
【００３６】
図２に示すように、先ず、照光部材１３を筐体１１の側部側から固定部に取り付ける。このとき、照光部材１３に設けられている突起を、８箇所の窪み２０、及び溝２１に嵌合させる。
【００３７】
次に、導光板１５を、先端側から照光部材１３と中間部材１７との間に挿入する。
【００３８】
次に、ホルダ１４を、先端側から取り付け、照光部材１３及び導光板１５を固定する。なお、ホルダ１４は、筐体１１に設けられているホルダ固定用孔３１を利用して、筐体１１の裏側からネジ留めする。なお、本実施形態のような携帯電話機では、筐体１１の裏側にはレシーバ等の開口が設けられていることが多い。そのため、例えばこのような開口を保護するためのカバー部材でホルダ１４を固定するネジを隠すことにより、機器の美観に影響を与えないようにすることができる。
【００３９】
本具体例のような構成とすることにより、導光板１５は照光部材１３で挟み込んで固定することができる。また、窪み２０及び溝２１を設けてこの部分に照光部材１３の突起を嵌合させることにより、照光部材１３を筐体１１に係止させる。これにより、図２に破線の楕円で示した部分等、係止部の剛性（嵌合力）を確保することができる。なお、照光部材１３を交換する場合等の分解の際は、上述の組立方法の逆の手順で行うことで、照光部材１３を自在に交換することができる。このとき、ホルダ１４を取り外すことで、照光部材１３の交換を容易に行うことができる。
【００４０】
なお、本明細書の具体例では、照光部材１３を係止させる機構は中間部材１７に設けられているが、中間部材１７は筐体１１に固定されることで上述の固定部を構成していることから、中間部材１７は携帯端末１０の筐体の一部を構成するものと考えて差し支えない。例えば、電子装置の種類によっては、中間部材１７に相当する部材の代わりに、筐体部材１１ａに相当する部材に直接照光部材１３を係止させることとしてもよい。
【００４１】
（照光構造の具体例２）
図４，図５に、具体例２の照光構造を示す。本具体例の構成は、照光部材１３が中間部材１７にネジ留めされている点で具体例１と異なっている。
【００４２】
中間部材１７が筐体１１に固定された状態で、窪み２０が形成されている点は具体例１と同様である。本具体例では、先ず、図４に示すように、照光部材１３を側部側から固定部に取り付ける。このとき、照光部材１３に設けられた突起を窪み２０に嵌合させる。
【００４３】
その後、取付ネジ２３を中間部材１７にネジ留めする。中間部材１７の側部側の面には８個のネジ孔が設けられており、照光部材１３にはそのネジ孔の位置に対応した８個の取付孔が設けられている。照光部材１３の突起を窪み２０に嵌合させた後に、側部側から取付ネジ２３で照光部材１３を中間部材１７に固定する。
【００４４】
次に、取付ネジ２３を覆うようにカバー２４を取り付ける。カバー２４は、樹脂から形成された不透明の部材であり、嵌合等の公知の手法で中間部材１７に固定される。
【００４５】
次に、先端側から導光板１５とホルダ１４とを取り付ける。これらの取り付け方法は、具体例１と同様である。
【００４６】
本具体例のように、取付ネジ２３で照光部材１３を固定することにより、係止手段と併せて照光部材１３を強固に固定することができる。ここで、取付ネジ２３は、取り付けた状態で外部から見えていてもよいが、上述したように、取付ネジ２３を覆うようにカバー２４を取り付けて取付ネジ２３を覆い隠すこととしてもよい。このような構成は、電子装置としての美観の面などから好ましい。また、照光部材１３には、転写等の手法でその表面に図柄が加飾される場合がある。この場合に、カバー２４を使用することで、照光部材１３のラウンドエリアを小さくすることができる。つまり、カバー２４を使用することで、照光部材１３の側部側の面に加飾をする必要がないため、照光部材１３に対する加飾を容易に行うことができる。
【００４７】
また、本具体例でも具体例１と同様に窪み２０を設けてこの部分に照光部材１３の突起を嵌合・係止させることにより、特に図４に破線の楕円で示した部分等の係止部の剛性（嵌合力）を確保することができる。
【００４８】
（照光構造の具体例３）
図６，図７に、具体例３の照光構造を示す。本具体例の構成は、照光部材１３が中間部材１７に筐体１１の上側からネジ留めされている点で前述の各具体例と異なっている。
【００４９】
中間部材１７は、筐体１１の上側に向けて、８個のネジ孔が設けられている。また、中間部材１７は、具体例１と同様の溝２１を有している。
【００５０】
照光部材１３を構成する８個の照光ピースは、それぞれ先端側に１箇所タブ２５を備えている。タブ２５には、中間部材１７のネジ孔に対応する取付孔が設けられている。また、照光部材１３は、具体例１と同様に、溝２１に対応する突起を有している。
【００５１】
以下、着脱部の組立方法について説明する。先ず、導光板１５を、中間部材１７の上に載置する。このとき、導光板１５を中間部材１７に貼り付けることとしてもよい。
【００５２】
次に、照光部材１３を中間部材１７に取り付ける。本具体例では、図６のように照光部材１３が複数の照光ピース（個別照光部材）に分割されている場合について説明する。８個の照光ピースのうち、最もヒンジ側のものを最初に中間部材１７に取り付ける。このとき、照光ピースの突起を溝２１に嵌合させる。そして、取付ネジ２６を、タブ２５の取付孔を介して中間部材１７のネジ孔に挿入し、照光ピースを中間部材１７に固定させる。
【００５３】
続いて、ヒンジ側から先端側に向かって順に、隣接する照光ピースを、同様に中間部材１７に取り付ける。ここで、互いに隣接する照光ピースのうち、先端側に配置されたものは、ヒンジ側の照光ピースのタブ２５を上側から見て隠すように構成されている。従って、図６に示す８個の照光ピースを中間部材１７に取り付けたときに、外部からは最も先端側の照光ピースのタブ２５及び取付ネジ２６のみが見えていることになる。
【００５４】
次に、ホルダ１４を、前述の各実施形態と同様に取り付ける。このとき、見えていたタブ２５はホルダ１４によって覆い隠される。
【００５５】
本具体例の構成によれば、筐体１１の上側から取付ネジ２６の締付作業を行うことができるので、良好な作業性で照光部材１３を固定することができる。また、取付ネジ２６の受け面（タブ２５）がフランジ構造であるので、ネジの数量の適正化（減数）を図ることが可能である。
【００５６】
（照光構造の具体例４）
図８，図９に、具体例４の照光構造を示す。本具体例の構成は、具体例３と同様に、照光部材１３が中間部材１７に筐体１１の上側からネジ留めされている構成であるが、固定された取付ネジ２６を覆うようにカバー２７を取り付ける点で、具体例３と異なっている。
【００５７】
照光部材１３を構成する８個の照光ピースは、それぞれ先端側に１箇所タブ２５を備えている。タブ２５には、中間部材１７のネジ孔に対応する取付孔が設けられている。タブ２５は、８個の照光ピースが並べられたときに、各照光ピースが独立して着脱可能となるような位置に設けられている。
【００５８】
また、カバー２７は、図４，図５に示すカバー２４と同様に、樹脂から形成された不透明の部材である。
【００５９】
以下、着脱部の組立方法について説明する。先ず、導光板１５を、中間部材１７の上に載置する。このとき、導光板１５を中間部材１７に貼り付けることとしてもよい。
【００６０】
次に、照光部材１３を中間部材１７に取り付ける。本具体例では、８個の照光ピースを、取り付けの順序は問わず、中間部材１７に取り付ける。このとき、照光ピースの突起を溝２１に嵌合させる。そして、取付ネジ２６を、タブ２５の取付孔を介して中間部材１７のネジ孔に挿入し、照光ピースを中間部材１７に固定する。即ち、本具体例では、図８に示す８個の照光ピースを中間部材１７に取り付けたときに、８組のタブ２５及び取付ネジ２６が見えていることになる。
【００６１】
次に、取付ネジ２６を覆うように、カバー２７を取り付ける。このカバー２７の取付方法は、具体例２におけるカバー２４の取付方法と同様である。これにより、外部からは最も先端側の照光ピースのタブ２５及び取付ネジ２６のみが見えていることになる。
【００６２】
次に、ホルダ１４を、前述の各実施形態と同様に取り付ける。このとき、見えていたタブ２５はホルダ１４によって覆い隠される。
【００６３】
本具体例の構成によれば、取付ネジ２６を筐体１１の上側から締付けるため、具体例３と同様に良好な作業性が得られる。それとともに、８個の照光ピースの取付順序が任意とできるので、例えば１個の照光ピースのみを交換する場合に特に有利である。
【００６４】
なお、本具体例の説明では、タブ２５が、８個の照光ピースが並べられたときに、各照光ピースが独立して着脱可能となるような位置に設けられていることとした。これにより、上記のような効果が得られるが、具体例３と同様に、ヒンジ側の照光ピースのタブ２５を、先端側に隣接する照光ピースが隠すように構成することとしてもよい。
【００６５】
（照光構造の具体例５）
図１０，図１１に、具体例５の照光構造を示す。本具体例の構成は、照光部材１３を、先端側からスライドさせて挿入する点で、前述の各具体例と異なっている。
【００６６】
図１１に示すように、中間部材１７が筐体１１に固定された状態で、溝２８及び溝２１が設けられている。溝２８は上側に向けて開放した溝であり、溝２１は側部側に向けて開放した溝であり、共に筐体１１の長手方向に沿って形成されている。
【００６７】
また、照光部材１３は、溝２８及び溝２１の各々に対応する突起を有している。これらの突起は、溝２８及び溝２１と同様に、筐体１１の長手方向に沿って形成されている。
【００６８】
以下、着脱部の組立方法について説明する。先ず、導光板１５を、中間部材１７の上に載置する。このとき、導光板１５を中間部材１７に貼り付けることとしてもよい。
【００６９】
次に、照光部材１３を、先端側から溝２８及び溝２１にそれぞれ突起が係合するように挿入する。挿入された照光部材１３は、溝２８及び溝２１の奥で筐体１１に突き当たり係止される。
【００７０】
次に、ホルダ１４を、前述の各実施形態と同様に取り付ける。
【００７１】
本具体例では、照光部材１３の取付にスライド構造を採用することで、照光部材１３の交換を容易にすることができる。また、照光部材１３の強度、及び固定部に対する嵌合力を確保し、例えば外部からの衝撃に対しても強固な構成とすることができる。
【００７２】
（照光構造の具体例６）
図１２，図１３に、具体例６の照光構造を示す。本具体例の構成は、照光部材１３を、先端側からスライドさせて挿入する点については具体例５と同様であるが、照光部材１３が２色成型で形成されている点で、具体例５と異なっている。
【００７３】
本具体例で使用される照光部材１３は、図１３に示すように、ＬＥＤ１６からの光に対して透過性を有する透明部２９と、非透過性を有する有色部３０とから形成されている。このような照光部材１３は、例えば２色成型と呼ばれる成型法で樹脂を成型することにより得られる。なお、透明部２９と有色部３０とは、それぞれ任意の色で形成することができ、例えば互いに同系色とすることとしてもよい。
【００７４】
このように構成することで、例えば溝２８の部分等から基板２２等の内部部品が透けて見えることを防止することができる。なお、この場合に、透明部２９と有色部３０との色を上記の同系色とするなどデザイン上の配慮をすることで、ユーザに使用上の違和感を与えることなく、良好な視覚的効果を得るように構成することができる。
【００７５】
なお、図１２，図１３に示す本具体例の照光構造は、上記以外は具体例５と同様である。従って、本具体例の組立方法も具体例５と同様であるので、その説明については省略する。
【００７６】
なお、この発明は上述した実施形態・具体例に限定されず、種々の変形及び応用が可能である。
【００７７】
本発明は、携帯電話機以外にも、例えば、カメラ、ＰＤＡ（Personal Digital Assistant）、ノートＰＣ（Personal Computer）、ウェアラブルＰＣ、電卓、電子辞書など、種々の電子装置に適用することができる。
【００７８】
また、上述の具体例１〜６で説明した照光部材１３の構成は、それぞれの具体例における一例である。即ち、図２に示す具体例１では照光部材１３を一体の照光ピースとして図示しているが、８個、又はそれ以外の複数の照光ピースの組み合わせとして照光部材１３を構成してもよい。また、図３に示す具体例３では照光部材１３を８個の照光ピースの組み合わせとして図示しているが、一体の照光ピース、又は８個以外の複数の照光ピースの組み合わせとして照光部材１３を構成してもよい。具体例２，４〜６についても同様である。
【００７９】
また、上述した実施形態の説明では、光源であるＬＥＤ１６を８個としているが、その個数は任意であり、照光部材１３等もその個数に合わせて構成することができる。例えば、光源の個数を１つとし、その光源に合わせて複数構成可能な照光部材１３を設けることとしてもよい。
【００８０】
また、光源はＬＥＤに限らず、ＥＬ（Electroluminescence）、冷陰極管等、種々の発光手段を使用することができる。
【００８１】
また、上述の実施形態では、筐体の一部に照光構造を設けているが、例えば筐体の幅方向全面に照光構造を設けることとしてもよい。この場合、照光部材と導光板とをそれぞれ分割構成とするなど、嵌合力・強度・作業性を保つように構成することが好ましい。
【００８２】
また、上述の具体例６では、照光部材１３を２色成型として構成したが、３色以上の多色成型としてもよい。
【００８３】
さらに、例えば具体例６の２色成型の照光部材１３等を、他の各具体例の構成を組み合わせてもよいことは勿論である。
【図面の簡単な説明】
【００８４】
【図１】本発明の実施形態に係る照光構造を示す正面図である。
【図２】照光構造の具体例１を示す分解斜視図である。
【図３】照光構造の具体例１を示す部分断面図である。
【図４】照光構造の具体例２を示す分解斜視図である。
【図５】照光構造の具体例２を示す部分断面図である。
【図６】照光構造の具体例３を示す分解斜視図である。
【図７】照光構造の具体例３を示す部分断面図である。
【図８】照光構造の具体例４を示す分解斜視図である。
【図９】照光構造の具体例４を示す部分断面図である。
【図１０】照光構造の具体例５を示す分解斜視図である。
【図１１】照光構造の具体例５を示す部分断面図である。
【図１２】照光構造の具体例６を示す分解斜視図である。
【図１３】照光構造の具体例６を示す部分断面図である。
【符号の説明】
【００８５】
１０…携帯端末、１１…筐体、１２…ヒンジ部、１３…照光部材、１４…ホルダ、１５…導光板、１６…ＬＥＤ、１７…中間部材、１８…締結部材、１９…開口、２０…窪み、２１…溝、２２…基板、２３…取付ネジ、２４…カバー、２５…タブ、２６…取付ネジ、２７…カバー、２８…溝、２９…透明部、３０…有色部、３１…ホルダ固定用孔
【図１】
0004992119.tif 000002
【図２】
0004992119.tif 000003
【図３】
0004992119.tif 000004
【図４】
0004992119.tif 000005
【図５】
0004992119.tif 000006
【図６】
0004992119.tif 000007
【図７】
0004992119.tif 000008
【図８】
0004992119.tif 000009
【図９】
0004992119.tif 000010
【図１０】
0004992119.tif 000011
【図１１】
0004992119.tif 000012
【図１２】
0004992119.tif 000013
【図１３】
0004992119.tif 000014